(57)【要約】【課題】漏電などによりブレーカに発生した発熱源を早期に特定できるブレーカ用端子カバーを提供する。【解決手段】ブレーカ用端子カバー１０は、電源側接続端子台１１及び負荷側接続端子台１２と、各電源側接続端子台１１及び負荷側接続端子台１２に接続する電線接続端末１４の圧着端子部１７及び電線露出部１８と、を接続領域１３ごとに覆って絶縁する接続領域絶縁部１と、電源側電線１５又は負荷側電線１６を覆って保持する電線保持部２と、を備える。【選択図】図１
2010080074.tif 000002
【特許請求の範囲】
【請求項１】
ブレーカに設けられた複数の電源側接続端子台及び複数の負荷側接続端子台と、絶縁キャップで一部を覆われた圧着端子部及び電線露出部を含む複数の電線接続端末と、が接続される接続領域を覆って絶縁するブレーカ用端子カバーにおいて、
電源側接続端子台及び負荷側接続端子台と、各電源側接続端子台及び各負荷側接続端子台に接続する電線接続端末の圧着端子部及び電線露出部と、を接続領域ごとに覆って絶縁する接続領域絶縁部と、
電線を覆って保持する電線保持部と、
を備えることを特徴とするブレーカ用端子カバー。
【請求項２】
請求項１に記載のブレーカ用端子カバーであって、接続領域絶縁部は、各接続領域において電源側接続端子台及び負荷側接続端子台と、電線接続端末の圧着端子部とを締結する締結具周りを覆う円筒状蓋部と、圧着端子部の一部と電線露出部とを覆う箱状蓋部と、から構成されることを特徴とするブレーカ用端子カバー。
【請求項３】
請求項１又は２に記載のブレーカ用端子カバーであって、電線保持部は、円筒の一部が切断された形状であり、内部に電線を通過させることで電線を保持することを特徴とするブレーカ用端子カバー。
【請求項４】
請求項１乃至３のいずれか１に記載のブレーカ用端子カバーであって、接続領域絶縁部の一部には所定の温度以上で変色する示温塗料が塗布されることを特徴とするブレーカ用端子カバー。
【発明の詳細な説明】
【技術分野】
【０００１】
本発明は、ブレーカ用端子カバーに係り、特に、ブレーカに設けられた複数の電源側接続端子台及び複数の負荷側接続端子台と、絶縁キャップで一部を覆われた圧着端子部及び電線露出部を含む複数の電線接続端末と、が接続される接続領域を覆って絶縁するブレーカ用端子カバーに関する。
【背景技術】
【０００２】
ブレーカとは、サーキットブレーカ、配線用遮断器、漏電用遮断器とも称され、過負荷や短絡などの要因で二次側の回路に異常な電流が流れたときに電路を開放し、一次側からの電源供給を遮断することにより負荷回路や電線を損傷から回避するために用いる装置をいう。ブレーカには、３０Ａフレーム〜６０Ａフレーム、７５Ａフレーム〜１２５Ａフレーム、１５０Ａフレーム〜２２５Ａフレーム、２５０Ａフレーム〜４００Ａフレームなどがある。本発明に係るブレーカ用端子カバーは、主としてこのブレーカに適用されるが、それ以外の各種の電気製品の接続端子台にも適用できる。
【０００３】
図４に、一般的なブレーカの正面図を示す。また、図５（ａ）には、図４のＣ−Ｃ断面図を示し、図５（ｂ）には、図４のＤ−Ｄ側面図を示す。図４及び図５では３極の場合のブレーカ４０を例示する。このブレーカ４０には、スイッチ６、トリップ釦７、電源（図示せず）に繋がる電源側電線３５を接続するための電源側接続端子台３１、及び負荷装置（図示せず）に繋がる負荷側電線３６を接続する負荷側接続端子台３２が備えられている。この電源側接続端子台３１及び負荷側接続端子台３２において、図中、斜線でパッチした部分を接続領域３３と称する。また、負荷側接続端子台３２には、従来のブレーカ用端子カバー３０を取り付けた状態を示し、電源側接続端子台３１にはそれを外した状態を示す。なお、図５（ｂ）では、負荷側電線３６は省略して示す。
【０００４】
このブレーカ４０には、絶縁キャップ９で一部を覆われた圧着端子部３７及び電線露出部３８を含む複数の電線接続端末３４が締結具３９により電源側接続端子台３１及び負荷側接続端子台３２に接続される。ここに、圧着端子部３７とは、電源側電線３５及び負荷側電線３６を電源側接続端子台３１及び負荷側接続端子台３２に接続するために、圧着により電源側電線３５及び負荷側電線３６の端部を固着し、リング状の先端を締結具３９に係止するものである。また、電線接続端末３４とは、電源側電線３５及び負荷側電線３６の接続される端部をいう。なお、図４では、負荷側接続端子台３２には、圧着端子部３７及び電線露出部３８に絶縁キャップ９を取り付けた状態を示し、電源側接続端子台３１にはそれを外した状態を示す。
【０００５】
図４及び図５に示すように、ブレーカ用端子カバー３０は、電源側接続端子台３１及び負荷側接続端子台３２にそれぞれ１つずつ取り付けられる。例えば、ブレーカ用端子カバー４０は、３つの負荷側接続端子台３２にそれぞれ接続する電線接続端末３４の圧着端子部３７及び電線露出部３８を、１個のブレーカ用端子カバー３０で全て包含するように覆う。
【０００６】
ブレーカの電源側、或いは負荷側の接続領域３３では、締付具３９の締め忘れや増し締めの弛みなどの工事不良により漏電が生じ、接続領域が加熱される場合がある。また、この漏電による接続領域の加熱が火災事故の原因になる場合がある。
【０００７】
一方、特許文献１には、任意の個数の端子を有する配線用遮断器に共通して使用可能な配線用遮断器の端子カバーが開示されている。ここでは、連結手段を有する単位端子カバーを互いに平行させ、連結手段により互いに嵌め合わせて連結して一体化することで端子カバーを完成させることが記載されている。また、この端子カバーの配線用遮断器への装着方法は、従来例の端子カバーと全く同様であることが記載されている。
【０００８】
【特許文献１】特開平８−７７４１１号公報
【発明の開示】
【発明が解決しようとする課題】
【０００９】
従来のブレーカ用端子カバーは、電源側或いは負荷側の複数の接続領域をそれぞれ包含して覆う構成になっているため、漏電などによりブレーカの接続領域に熱が発生した場合に、不良が発生した接続領域を特定できなかった。また、従来のブレーカ用端子カバーは、電源側或いは負荷側の複数の接続領域をそれぞれ全体として覆うため、漏電などによりブレーカに熱が発生した場合に、ブレーカ用端子カバーに熱が伝わるまで時間がかかり、早期に発熱を感知できないという問題があった。
【００１０】
また、従来は、ブレーカ用端子カバーとともに、圧着端子部の一部と電線露出部とを絶縁するために電線接続端末を絶縁キャップで覆わなければならなかった。この絶縁キャップはブレーカ用端子カバーの設置前に電線接続端末に取り付ける必要があり、また手間のかかる作業であった。
【００１１】
さらに、従来のブレーカ用端子カバーは、ブレーカ本体に係合させて取り付けることから、製作メーカごと、或いは機種ごとに異なるブレーカ自体の寸法に合わせなければならないという問題があった。
【００１２】
本願の目的は、かかる課題を解決し、漏電などによりブレーカに発生した発熱源を早期に特定できるブレーカ用端子カバーを提供することである。
【課題を解決するための手段】
【００１３】
上記目的を達成するため、本発明に係るブレーカ用端子カバーは、ブレーカに設けられた複数の電源側接続端子台及び複数の負荷側接続端子台と、絶縁キャップで一部を覆われた圧着端子部及び電線露出部を含む複数の電線接続端末と、が接続される接続領域を覆って絶縁するブレーカ用端子カバーにおいて、電源側接続端子台及び負荷側接続端子台と、各電源側接続端子台及び各負荷側接続端子台に接続する電線接続端末の圧着端子部及び電線露出部と、を接続領域ごとに覆って絶縁する接続領域絶縁部と、電線を覆って保持する電線保持部と、を備えることを特徴とする。
【００１４】
上記構成により、ブレーカ用端子カバーは、電源側及び負荷側の各接続領域を個別に覆うことから、接続領域に発生した漏電などによる発熱を個別に感知できる。また、各接続領域の電源側及び負荷側接続端子台と、各電線接続端末の圧着端子部及び電線露出部とにより接近させた状態で覆うことから、接続領域に発生した漏電などによる発熱を早期に感知できる。また、ブレーカ用端子カバーは、電線接続端末の圧着端子部及び電線露出部を覆うことから、従来用いられていた絶縁キャップを兼用することができる。これにより、電線接続端末を電源側及び負荷側接続端子台に接続してからブレーカ用端子カバーを後付けできる。さらに、ブレーカ用端子カバーは、接続領域ごとに取付けられることから、製作メーカ、或いはブレーカの機種自体の形状に影響されず、電線のサイズにのみ適合させれば良い。
【００１５】
また、ブレーカ用端子カバーは、接続領域絶縁部が、各接続領域において電源側接続端子台及び負荷側接続端子台と、電線接続端末の圧着端子部とを締結する締結具周りを覆う円筒状蓋部と、圧着端子部の一部と電線露出部とを覆う箱状蓋部と、から構成されることが好ましい。これにより、接続領域絶縁部は、各接続領域の電源側及び負荷側接続端子台、及び電線接続端末の圧着端子部、及び締結具の外形に合わせて、より接近させた状態で覆うことができる。また、ブレーカ用端子カバーは、円筒状蓋部の締結具に嵌めこまれるため、外れにくい構成となる。
【００１６】
また、ブレーカ用端子カバーは、電線保持部が、円筒の一部が切断された形状であり、内部に電線を通過させることで電線を保持することが好ましい。これにより、ブレーカ用端子カバーは、円筒状蓋部の締結具とともに電線にも嵌めこまれるため、２点で支持されて外れにくい構成となる。
【００１７】
さらに、ブレーカ用端子カバーは、接続領域絶縁部の一部には所定の温度以上で変色する示温塗料が塗布されることが好ましい。これにより、漏電などにより発生した発熱を早期に目視により確認することができる。
【発明の効果】
【００１８】
以上のように、本発明に係るブレーカ用端子カバーによれば、漏電などによりブレーカに発生した発熱源を早期に特定することが可能となる。
【発明を実施するための最良の形態】
【００１９】
以下に、図面を用いて本発明に係るブレーカ用端子カバーの実施の形態につき、詳細に説明する。
【００２０】
図１に、ブレーカに取り付けられたブレーカ用端子カバーの１つの実施形態の概略構成を示す。また、図２（ａ）には、図１のＡ−Ａ断面図を示し、図２（ｂ）には、図１のＢ−Ｂ断面図を示す。図１及び図２では３極のブレーカ２０を例示する。このブレーカ２０には、スイッチ６、トリップ釦７、電源（図示せず）に繋がる電源側電線１５を接続するための電源側接続端子台１１、及び負荷装置（図示せず）に繋がる負荷側電線１６を接続する負荷側接続端子台１２が備えられている。この電源側接続端子台１１及び負荷側接続端子台１２において、図中、斜線でパッチした部分を接続領域１３と称する。負荷側接続端子台１２には、本発明に係るブレーカ用端子カバー１０を取り付けた状態を示し、電源側接続端子台１１にはそれを外した状態を示す。
【００２１】
このブレーカ２０には、圧着端子部１７及び電線露出部１８を含む複数の電線接続端末１４が締結具１９により電源側接続端子台１１及び負荷側接続端子台１２に接続される。ここに、圧着端子部１７とは、電源側電線１５及び負荷側電線１６を電源側接続端子台１１及び負荷側接続端子台１２に接続するために、圧着により電源側電線１５及び負荷側電線１６の端部を固着し、リング状の先端を締結具１９に係止するものである。
【００２２】
図１及び図２に示すように、ブレーカ用端子カバー１０は、電源側接続端子台１１及び負荷側接続端子台１２において、接続領域１３ごとにそれぞれ１つずつ取り付けられる。例えば、ブレーカ用端子カバー１０は、３つの負荷側接続端子台１２にそれぞれ接続する電線接続端末１４の圧着端子部１７及び電線露出部１８を個別に包含するように覆う。
【００２３】
図３に、ブレーカ用端子カバー１０を示す。図３（ａ）は、ブレーカ用端子カバー１０の斜視図であり、図３（ｂ）は、ブレーカ用端子カバー１０を上部から見た平面図である。ブレーカ用端子カバー１０は、電源側接続端子台１１及び負荷側接続端子台１２と、各電源側接続端子台１１及び負荷側接続端子台１２に接続する電線接続端末１４の圧着端子部１７及び電線露出部１８と、を接続領域１３ごとに覆って絶縁する接続領域絶縁部１と、電源側電線１５及び負荷側電線１６を覆って保持する電線保持部２と、から構成される。図３に示す電線保持部２は、電源側電線１５及び負荷側電線１６を貫通させる孔によりこれらの電線１５，１６を保持しても良い。
【００２４】
すなわち、接続領域絶縁部１は、各接続領域１３において電源側接続端子台１１及び負荷側接続端子台１２と、電線接続端末１４の圧着端子部１７とを締結する締結具１９周りを覆う円筒状蓋部３と、圧着端子部１７の一部と電線露出部１８とを覆う箱状蓋部４と、から構成される。また、電線保持部２は、円筒の一部が切断された形状であり、内部に電線を通過させることで電源側電線１５及び負荷側電線１６を保持する。円筒状蓋部３の円筒の中心付近には端子の試験の際に使用されるテスター用孔５が設けられる。
【００２５】
ブレーカ用端子カバー１０は、円筒状蓋部３を締結具１９周りに嵌め込むことで外れにくくなる。さらに、電線保持部２において、電源側電線１５及び負荷側電線１６を保持することで、外れにくくなる。すなわち、ブレーカ用端子カバー１０は、円筒状蓋部３及び電線保持部２の２点で支持されてブレーカ２０に固定される。
【００２６】
接続領域絶縁部１は、その一部において、所定の温度以上で変色する示温塗料が塗布される示温塗装部８を有しても良い。この示温塗装は、温度が略１３０度を越えると変色する。ブレーカ用端子カバー１０は、耐熱型のポリプロピレンから成り、溶融温度が略１３０度〜１６５度である。従って、漏電などにより熱が発生した場合に、ブレーカ用端子カバー１０が溶融する前に、示温塗装が変色することを目視により確認し、漏電などの異常事態を感知することができる。
【図面の簡単な説明】
【００２７】
【図１】ブレーカに取り付けられた本発明に係るブレーカ用端子カバーの１つの実施形態の概略構成を示す平面図である。
【図２】図１のＡ−Ａ断面図及びＢ−Ｂ断面図である。
【図３】本発明に係るブレーカ用端子カバーの１つの実施形態の斜視図及び平面図である。
【図４】ブレーカに取り付けられた従来のブレーカ用端子カバーの１つの実施例を示す平面図である。
【図５】図４のＣ−Ｃ断面図及びＤ−Ｄ側面図である。
【符号の説明】
【００２８】
１  接続領域絶縁部、２  電線保持部、３  円筒状蓋部、４  箱状蓋部、５  テスター用孔、６  スイッチ、７  トリップ釦、８  示温塗装部、９  絶縁キャップ、１０，３０  ブレーカ用端子カバー、１１，３１  電源側接続端子台、１２，３２  負荷側接続端子台、１３，３３  接続領域、１４，３４  電線接続端末、１５，３５  電源側電線、１６，３６  負荷側電線、１７，３７  圧着端子部、１８，３８  電線露出部、１９，３９  締結具、２０，４０  ブレーカ。
【図１】
2010080074.tif 000003
【図２】
2010080074.tif 000004
【図３】
2010080074.tif 000005
【図４】
2010080074.tif 000006
【図５】
2010080074.tif 000007
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
ブレーカに設けられた複数の電源側接続端子台及び複数の負荷側接続端子台と、絶縁キャップで一部を覆われた圧着端子部及び電線露出部を含む複数の電線接続端末と、が締結具により接続される接続領域を覆って絶縁するブレーカ用端子カバーにおいて、
接続領域ごとに、電源側接続端子台及び負荷側接続端子台と、電線接続端末の圧着端子部とを締結する締結具周りに嵌め込まれて覆う円筒状蓋部と、
圧着端子部の一部と電線露出部とを覆う箱状蓋部と、
電源側電線及び負荷側電線を貫通させる貫通孔を有し、電源側電線及び負荷側電線を保持する電線保持部と、を備え、
締結具周りに嵌め込まれる円筒状蓋部と、電源側電線及び負荷側電線を保持する電線保持部とによりブレーカに固定されることを特徴とするブレーカ用端子カバー。
【請求項２】
請求項１に記載のブレーカ用端子カバーであって、円筒状蓋部の締結具の近傍には所定の温度以上で変色する示温塗料が塗布されることを特徴とするブレーカ用端子カバー。
【手続補正２】
【補正対象書類名】明細書
【補正対象項目名】００１３
【補正方法】変更
【補正の内容】
【００１３】
上記目的を達成するため、本発明に係るブレーカ用端子カバーは、ブレーカに設けられた複数の電源側接続端子台及び複数の負荷側接続端子台と、絶縁キャップで一部を覆われた圧着端子部及び電線露出部を含む複数の電線接続端末と、が締結具により接続される接続領域を覆って絶縁するブレーカ用端子カバーにおいて、接続領域ごとに、電源側接続端子台及び負荷側接続端子台と、電線接続端末の圧着端子部とを締結する締結具周りに嵌め込まれて覆う円筒状蓋部と、圧着端子部の一部と電線露出部とを覆う箱状蓋部と、電源側電線及び負荷側電線を貫通させる貫通孔を有し、電源側電線及び負荷側電線を保持する電線保持部と、を備え、締結具周りに嵌め込まれる円筒状蓋部と、電源側電線及び負荷側電線を保持する電線保持部とによりブレーカに固定されることを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
さらに、ブレーカ用端子カバーは、円筒状蓋部の締結具の近傍には所定の温度以上で変色する示温塗料が塗布されることが好ましい。これにより、漏電などにより発生した発熱を早期に目視により確認することができる。